(57)【要約】【課題】三次元映像を再生可能な映像再生装置において、１台の表示装置を用いて複数のユーザが異なる映像を大画面で同時に視聴することが可能な映像再生装置を得る。【解決手段】ＳＴＢ４は、表示画面５Ｄにおける映像の再生を制御する映像制御部１３と、眼鏡７Ａ，７Ｂの両眼の透光状態及び遮光状態を制御する眼鏡制御部１５と、を備え、映像制御部１３は、第１のタイミングにおいてコンテンツＣＡの映像を表示画面５Ｄに表示し、第２のタイミングにおいてコンテンツＣＢの映像を表示画面５Ｄに表示し、眼鏡制御部１５は、上記第１のタイミングにおいて眼鏡７Ａの両眼を透光状態、眼鏡７Ｂの両眼を遮光状態とし、上記第２のタイミングにおいて眼鏡７Ｂの両眼を透光状態、眼鏡７Ａの両眼を遮光状態とする。【選択図】図２
2012156950.tif 000002
【特許請求の範囲】
【請求項１】
左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、
前記表示画面における映像の再生を制御する映像制御部と、
前記眼鏡の両眼の透光状態及び遮光状態を制御する眼鏡制御部と、
を備え、
前記映像制御部は、第１のタイミングにおいて第１のコンテンツの映像を前記表示画面に表示し、第２のタイミングにおいて前記第１のコンテンツと異なる第２のコンテンツの映像を前記表示画面に表示し、
前記眼鏡制御部は、前記第１のタイミングにおいて第１の眼鏡の両眼を透光状態、第２の眼鏡の両眼を遮光状態とし、前記第２のタイミングにおいて前記第２の眼鏡の両眼を透光状態、前記第１の眼鏡の両眼を遮光状態とする、映像再生装置。
【請求項２】
前記第１のコンテンツの音声を前記第１の眼鏡に送信し、前記第２のコンテンツの音声を前記第２の眼鏡に送信する音声制御部をさらに備える、請求項１に記載の映像再生装置。
【請求項３】
前記第１のコンテンツの映像は、対戦型ゲームにおける一のプレーヤー視点の映像であり、前記第２のコンテンツの映像は、前記対戦型ゲームにおける他のプレーヤー視点の映像である、請求項１又は２に記載の映像再生装置。
【請求項４】
前記第１のコンテンツの映像は、第１の番組の映像であり、前記第２のコンテンツの映像は、前記第１の番組とは異なる第２の番組の映像である、請求項１又は２に記載の映像再生装置。
【発明の詳細な説明】
【技術分野】
【０００１】
本発明は、映像再生装置に関し、特に、三次元映像を再生可能な映像再生装置に関する。
【背景技術】
【０００２】
例えば下記特許文献１には、両眼に液晶シャッタを備える専用の眼鏡をユーザが着用することによって、表示画面上で三次元映像を視聴可能な映像表示装置が開示されている。当該映像表示装置においては、左視用映像と右視用映像とを所定の周期で表示画面に交互に表示する。そして、液晶シャッタを制御することによって、左視用映像の表示タイミングに同期して眼鏡の左眼を透光状態、右眼を遮光状態とし、右視用映像の表示タイミングに同期して眼鏡の右眼を透光状態、左眼を遮光状態とすることにより、表示画面に三次元映像を表示する。
【先行技術文献】
【特許文献】
【０００３】
【特許文献１】特許第３２７３０７４号公報
【発明の概要】
【発明が解決しようとする課題】
【０００４】
１台の表示装置を用いて複数のユーザが異なる映像を同時に視聴する場合には、表示画面を複数の小画面に分割して、各小画面において各映像を再生する必要がある。従って、各ユーザは大画面での迫力ある映像を視聴することができないため、ユーザの利便性が低い。
【０００５】
本発明はかかる事情に鑑みて成されたものであり、三次元映像を再生可能な映像再生装置において、１台の表示装置を用いて複数のユーザが異なる映像を大画面で同時に視聴することが可能な映像再生装置を得ることを目的とするものである。
【課題を解決するための手段】
【０００６】
本発明の第１の態様に係る映像再生装置は、左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、前記表示画面における映像の再生を制御する映像制御部と、前記眼鏡の両眼の透光状態及び遮光状態を制御する眼鏡制御部と、を備え、前記映像制御部は、第１のタイミングにおいて第１のコンテンツの映像を前記表示画面に表示し、第２のタイミングにおいて前記第１のコンテンツと異なる第２のコンテンツの映像を前記表示画面に表示し、前記眼鏡制御部は、前記第１のタイミングにおいて第１の眼鏡の両眼を透光状態、第２の眼鏡の両眼を遮光状態とし、前記第２のタイミングにおいて前記第２の眼鏡の両眼を透光状態、前記第１の眼鏡の両眼を遮光状態とすることを特徴とするものである。
【０００７】
第１の態様に係る映像再生装置によれば、映像制御部は、第１のタイミングにおいて第１のコンテンツの映像を表示画面に表示し、第２のタイミングにおいて第１のコンテンツと異なる第２のコンテンツの映像を表示画面に表示する。また、眼鏡制御部は、第１のタイミングにおいて第１の眼鏡の両眼を透光状態、第２の眼鏡の両眼を遮光状態とし、第２のタイミングにおいて第２の眼鏡の両眼を透光状態、第１の眼鏡の両眼を遮光状態とする。従って、第１のコンテンツの映像の視聴を希望する第１のユーザは、第１の眼鏡を着用することにより、第１のタイミングで表示画面に全面表示される第１のコンテンツの映像を視聴することができる。また、第２のコンテンツの映像が表示される第２のタイミングでは、第１の眼鏡の両眼が遮光状態とされる。従って、第１のユーザには第２のコンテンツの映像は見えないため、第２のコンテンツの映像が第１のコンテンツの映像の視聴の妨げになることを回避できる。同様に、第２のコンテンツの映像の視聴を希望する第２のユーザは、第２の眼鏡を着用することにより、第２のタイミングで表示画面に全面表示される第２のコンテンツの映像を視聴することができる。また、第１のコンテンツの映像が表示される第１のタイミングでは、第２の眼鏡の両眼が遮光状態とされる。従って、第２のユーザには第１のコンテンツの映像は見えないため、第１のコンテンツの映像が第２のコンテンツの映像の視聴の妨げになることを回避できる。このように第１の態様に係る映像再生装置によれば、１台の表示装置を用いて複数のユーザが異なるコンテンツの映像を大画面で同時に視聴することが可能となる。
【０００８】
本発明の第２の態様に係る映像再生装置は、第１の態様に係る映像再生装置において特に、前記第１のコンテンツの音声を前記第１の眼鏡に送信し、前記第２のコンテンツの音声を前記第２の眼鏡に送信する音声制御部をさらに備えることを特徴とするものである。
【０００９】
第２の態様に係る映像再生装置によれば、音声制御部は、第１のコンテンツの音声を第１の眼鏡に送信し、第２のコンテンツの音声を第２の眼鏡に送信する。従って、第１のユーザは、第１の眼鏡に取り付けられているイヤホンを用いて、第１のコンテンツの音声を聞くことができる。同様に、第２のユーザは、第２の眼鏡に取り付けられているイヤホンを用いて、第２のコンテンツの音声を聞くことができる。しかも、複数のユーザの各々がイヤホンを用いて音声を聞くことにより、各ユーザが視聴しているコンテンツの音声が別ユーザによる別コンテンツの視聴の妨げになることを回避できる。
【００１０】
本発明の第３の態様に係る映像再生装置は、第１又は第２の態様に係る映像再生装置において特に、前記第１のコンテンツの映像は、対戦型ゲームにおける一のプレーヤー視点の映像であり、前記第２のコンテンツの映像は、前記対戦型ゲームにおける他のプレーヤー視点の映像であることを特徴とするものである。
【００１１】
第３の態様に係る映像再生装置によれば、第１のコンテンツの映像は、対戦型ゲームにおける一のプレーヤー視点の映像であり、第２のコンテンツの映像は、対戦型ゲームにおける他のプレーヤー視点の映像である。従って、複数のユーザが１台の表示装置を用いて対戦型ゲームを行う場合に、各プレーヤー視点の映像はいずれも全画面に表示されるため、各プレーヤーは、迫力ある映像を用いて対戦型ゲームを行うことが可能となる。
【００１２】
本発明の第４の態様に係る映像再生装置は、第１又は第２の態様に係る映像再生装置において特に、前記第１のコンテンツの映像は、第１の番組の映像であり、前記第２のコンテンツの映像は、前記第１の番組とは異なる第２の番組の映像であることを特徴とするものである。
【００１３】
第４の態様に係る映像再生装置によれば、第１のコンテンツの映像は、第１の番組の映像であり、第２のコンテンツの映像は、第１の番組とは異なる第２の番組の映像である。従って、複数のユーザが１台の表示装置を用いて複数の番組を視聴する場合に、各ユーザが視聴する映像はいずれも全画面に表示されるため、各ユーザは、迫力ある映像を用いて番組を視聴することが可能となる。
【発明の効果】
【００１４】
本発明によれば、三次元映像を再生可能な映像再生装置において、１台の表示装置を用いて複数のユーザが異なる映像を大画面で同時に視聴することが可能となる。
【図面の簡単な説明】
【００１５】
【図１】本発明の実施の形態に係る映像配信システムの全体構成を示す図である。
【図２】ＳＴＢの構成を簡略化して示すブロック図である。
【図３】テレビにおいて三次元映像のコンテンツを再生する場合のＳＴＢの処理を示す図である。
【図４】テレビにおいて二つのコンテンツを複合再生する場合のＳＴＢの処理を示す図である。
【図５】四つのコンテンツを複合再生する場合の映像配信システムの全体構成を示す図である。
【図６】テレビにおいて四つのコンテンツを複合再生する場合のＳＴＢの処理を示す図である。
【発明を実施するための形態】
【００１６】
以下、本発明の実施の形態について、図面を用いて詳細に説明する。なお、異なる図面において同一の符号を付した要素は、同一又は相応する要素を示すものとする。
【００１７】
図１は、本発明の実施の形態に係る映像配信システム１の全体構成を示す図である。図１に示すように映像配信システム１は、映像配信装置としてのサーバ２と、ＩＰ（Internet Protocol）ネットワーク等の通信ネットワーク３と、映像再生装置としてのＳＴＢ（Set Top Box）４と、液晶表示装置等のテレビ５と、三次元映像を視聴するためにユーザが着用する眼鏡７（図１における参照符号７Ａ，７Ｂ）とを備えて構成されている。テレビ５は、表示画面５Ｄとスピーカ５Ｓとを有している。眼鏡７Ａはイヤホン９Ａと左眼８ＡＬ及び右眼８ＡＲとを有しており、眼鏡７Ｂはイヤホン９Ｂと左眼８ＢＬ及び右眼８ＢＲとを有している。なお、ＳＴＢ４の機能がテレビ５に内蔵されていてもよい。
【００１８】
サーバ２は、通信ネットワーク３を介してＳＴＢ４にコンテンツの映像信号及び音声信号を送信する。ＳＴＢ４は、受信した映像信号及び音声信号に対してデコード等の処理を行う。また、ＳＴＢ４は、映像信号及び音声信号をテレビ５に送信することにより、テレビ５において映像及び音声を再生する。テレビ５の表示画面５Ｄには、二次元映像を表示可能であるとともに、三次元映像を表示することも可能である。三次元映像を視聴する場合には、ユーザは眼鏡７を着用する。
【００１９】
図２は、ＳＴＢ４の構成を簡略化して示すブロック図である。図２の接続関係で示すように、ＳＴＢ４は、命令受信部１１、モード設定部１２、映像制御部１３、映像送信部１４、眼鏡制御部１５、制御信号送信部１６、音声制御部１７、及び音声送信部１８を備えて構成されている。
【００２０】
図３は、テレビ５において三次元映像のコンテンツを再生する場合のＳＴＢ４の処理を示す図である。図２を参照して、命令受信部１１は、三次元映像の再生を指定する命令信号Ｓ０を、例えばリモコン（図示しない）から受信する。命令受信部１１は、受信した命令信号Ｓ０をモード設定部１２に入力する。モード設定部１２は、三次元映像の再生を指定する制御信号Ｓ１を、映像制御部１３、眼鏡制御部１５、及び音声制御部１７に入力する。
【００２１】
映像制御部１３は、三次元映像のコンテンツの映像信号Ｓ２を映像送信部１４に入力する。映像送信部１４は、入力された映像信号Ｓ２をテレビ５に向けて送信する。三次元映像の再生を行う場合には、人間の両眼視差を反映した左視用映像と右視用映像とが所定の周期（例えば１／１２０秒周期。左視用画像と右視用画像とのペアで１フレームが構成されるため、フレームレートは６０ｆｐｓとなる。）で交互に表示される。図３に示した例では、第０フレームの左視用映像Ｆ０Ｌ、第０フレームの右視用映像Ｆ０Ｒ、第１フレームの左視用映像Ｆ１Ｌ、第１フレームの右視用映像Ｆ１Ｒ、第２フレームの左視用映像Ｆ２Ｌ、第２フレームの右視用映像Ｆ２Ｒ、第３フレームの左視用映像Ｆ３Ｌ、第３フレームの右視用映像Ｆ３Ｒ、・・・が、この順にテレビ５の表示画面５Ｄに表示される。
【００２２】
眼鏡制御部１５は、眼鏡７Ａ，７Ｂの左眼８ＡＬ，８ＢＬ及び右眼８ＡＲ，８ＢＲの各々に組み込まれた液晶シャッタを制御するための制御信号Ｓ３を、制御信号送信部１６に入力する。制御信号送信部１６は、制御信号Ｓ３を眼鏡７Ａ，７Ｂに向けて無線送信する。図３に示すように、三次元映像の再生を行う場合には、各フレームの左視用映像Ｆ０Ｌ，Ｆ１Ｌ，Ｆ２Ｌ，Ｆ３Ｌ，・・・を表示画面５Ｄに表示するタイミングに同期して、眼鏡７Ａ，７Ｂの左眼８ＡＬ，８ＢＬが透光状態（ＯＮ）、右眼８ＡＲ，８ＢＲが遮光状態（ＯＦＦ）とされ、各フレームの右視用映像Ｆ０Ｒ，Ｆ１Ｒ，Ｆ２Ｒ，Ｆ３Ｒ，・・・を表示画面５Ｄに表示するタイミングに同期して、眼鏡７Ａ，７Ｂの右眼８ＡＲ，８ＢＲが透光状態（ＯＮ）、左眼８ＡＬ，８ＢＬが遮光状態（ＯＦＦ）とされる。
【００２３】
音声制御部１７は、上記コンテンツの音声信号Ｓ４を音声送信部１８に入力する。音声送信部１８は、入力された音声信号Ｓ４をテレビ５に向けて送信する。これにより、上記コンテンツの音声がテレビ５のスピーカ５Ｓから出力される。なお、三次元映像を再生する場合であっても、音声送信部１８が音声信号Ｓ４を眼鏡７Ａ，７Ｂに向けて送信することにより、眼鏡７Ａ，７Ｂのイヤホン９Ａ，９Ｂから音声を出力してもよい。
【００２４】
図４は、テレビ５において二つのコンテンツを複合再生する場合のＳＴＢ４の処理を示す図である。ここで、「複合再生」とは、あるユーザが視聴を希望するコンテンツと、別のユーザが視聴を希望する別のコンテンツとを、テレビ５において同時に再生することを意味する。本実施の形態では、ユーザＵＡがコンテンツＣＡを視聴し、ユーザＵＢがコンテンツＣＢを視聴する場合を例にとって説明する。複合再生を行う場合には、ユーザＵＡは眼鏡７Ａを着用し、ユーザＵＢは眼鏡７Ｂを着用する。
【００２５】
複合再生の利用態様としては、例えば、ユーザＵＡとユーザＵＢとで対戦型のテレビゲームを行う場合に、対戦型ゲームの一方のプレーヤー視点の映像をコンテンツＣＡとし、他方のプレーヤー視点の映像をコンテンツＣＢとする利用態様がある。但し、対戦型ゲームに限らず、ユーザＵＡが野球ゲームを行い、ユーザＵＢがサッカーゲームを行う場合のように、複数のユーザが異種のゲームを同時に行うこともできる。この場合には、ユーザＵＡが行うゲームの映像がコンテンツＣＡとなり、ユーザＵＢが行うゲームの映像がコンテンツＣＢとなる。また、テレビゲームに限らず、ユーザＵＡがあるチャンネルの番組を視聴し、ユーザＵＢが別のチャンネルの番組を視聴する場合のように、複数のユーザが別チャンネルの番組を同時に視聴することもできる。この場合には、ユーザＵＡが視聴する番組の映像がコンテンツＣＡとなり、ユーザＵＢが視聴する番組の映像がコンテンツＣＢとなる。
【００２６】
図２を参照して、命令受信部１１は、複合再生を指定する命令信号Ｓ０を、例えばリモコン（図示しない）から受信する。命令受信部１１は、受信した命令信号Ｓ０をモード設定部１２に入力する。モード設定部１２は、複合再生を指定する制御信号Ｓ１を、映像制御部１３、眼鏡制御部１５、及び音声制御部１７に入力する。
【００２７】
映像制御部１３は、コンテンツＣＡの映像信号Ｓ２Ａと、コンテンツＣＢの映像信号Ｓ２Ｂとを、映像送信部１４に入力する。映像送信部１４は、入力された映像信号Ｓ２Ａ，Ｓ２Ｂをテレビ５に向けて送信する。複合再生を行う場合には、コンテンツＣＡの二次元映像のフレームと、コンテンツＣＢの二次元映像のフレームとが、交互に表示画面５Ｄの全面に表示される。各コンテンツのフレームレートは、例えば６０ｆｐｓである。図４に示した例では、コンテンツＣＡの第０フレームの映像Ｆ０Ａ、コンテンツＣＢの第０フレームの映像Ｆ０Ｂ、コンテンツＣＡの第１フレームの映像Ｆ１Ａ、コンテンツＣＢの第１フレームの映像Ｆ１Ｂ、コンテンツＣＡの第２フレームの映像Ｆ２Ａ、コンテンツＣＢの第２フレームの映像Ｆ２Ｂ、コンテンツＣＡの第３フレームの映像Ｆ３Ａ、コンテンツＣＢの第３フレームの映像Ｆ３Ｂ、・・・が、この順にテレビ５の表示画面５Ｄに表示される。
【００２８】
眼鏡制御部１５は、眼鏡７Ａの左眼８ＡＬ及び右眼８ＡＲの各々に組み込まれた液晶シャッタを制御するための制御信号Ｓ３Ａ、及び、眼鏡７Ｂの左眼８ＢＬ及び右眼８ＢＲの各々に組み込まれた液晶シャッタを制御するための制御信号Ｓ３Ｂを、制御信号送信部１６に入力する。制御信号送信部１６は、制御信号Ｓ３Ａを眼鏡７Ａに向けて無線送信し、制御信号Ｓ３Ｂを眼鏡７Ｂに向けて無線送信する。図４に示すように、複合再生を行う場合には、コンテンツＣＡの映像Ｆ０Ａ，Ｆ１Ａ，Ｆ２Ａ，Ｆ３Ａ，・・・を表示画面５Ｄに表示するタイミングに同期して、眼鏡７Ａの左眼８ＡＬ及び右眼８ＡＲが透光状態（ＯＮ）、眼鏡７Ｂの左眼８ＢＬ及び右眼８ＢＲが遮光状態（ＯＦＦ）とされ、コンテンツＣＢの映像Ｆ０Ｂ，Ｆ１Ｂ，Ｆ２Ｂ，Ｆ３Ｂ，・・・を表示画面５Ｄに表示するタイミングに同期して、眼鏡７Ｂの左眼８ＢＬ及び右眼８ＢＲが透光状態（ＯＮ）、眼鏡７Ａの左眼８ＡＬ及び右眼８ＡＲが遮光状態（ＯＦＦ）とされる。
【００２９】
音声制御部１７は、コンテンツＣＡの音声信号Ｓ４Ａ、及びコンテンツＣＡの音声信号Ｓ４Ｂを、音声送信部１８に入力する。音声送信部１８は、音声信号Ｓ４Ａを眼鏡７Ａに向けて送信し、音声信号Ｓ４Ｂを眼鏡７Ｂに向けて送信する。これにより、コンテンツＣＡの音声が眼鏡７Ａのイヤホン９Ａから出力され、コンテンツＣＢの音声が眼鏡７Ｂのイヤホン９Ｂから出力される。
【００３０】
なお、以上の説明では二つのコンテンツを複合再生する例について述べたが、三つ以上のコンテンツを複合再生することも可能である。図５は、四つのコンテンツを複合再生する場合の映像配信システム１の全体構成を示す図である。映像配信システム１は、四つの眼鏡７Ａ〜７Ｄを備えている。眼鏡７Ｃはイヤホン９Ｃと左眼８ＣＬ及び右眼８ＣＲとを有しており、眼鏡７Ｄはイヤホン９Ｄと左眼８ＤＬ及び右眼８ＤＲとを有している。
【００３１】
図６は、テレビ５において四つのコンテンツを複合再生する場合のＳＴＢ４の処理を示す図である。この例では、ユーザＵＡがコンテンツＣＡを視聴し、ユーザＵＢがコンテンツＣＢを視聴し、ユーザＵＣがコンテンツＣＣを視聴し、ユーザＵＤがコンテンツＣＤを視聴する場合を例にとって説明する。複合再生を行う場合には、ユーザＵＡは眼鏡７Ａを着用し、ユーザＵＢは眼鏡７Ｂを着用し、ユーザＵＣは眼鏡７Ｃを着用し、ユーザＵＤは眼鏡７Ｄを着用する。
【００３２】
図６に示した例では、コンテンツＣＡの第０フレームの映像Ｆ０Ａ、コンテンツＣＢの第０フレームの映像Ｆ０Ｂ、コンテンツＣＣの第０フレームの映像Ｆ０Ｃ、コンテンツＣＤの第０フレームの映像Ｆ０Ｄ、コンテンツＣＡの第１フレームの映像Ｆ１Ａ、コンテンツＣＢの第１フレームの映像Ｆ１Ｂ、コンテンツＣＣの第１フレームの映像Ｆ１Ｃ、コンテンツＣＤの第１フレームの映像Ｆ１Ｄ、・・・が、この順にテレビ５の表示画面５Ｄに表示される。
【００３３】
また、コンテンツＣＡの映像Ｆ０Ａ，Ｆ１Ａ，・・・を表示画面５Ｄに表示するタイミングに同期して、眼鏡７Ａの両眼が透光状態（ＯＮ）、その他の眼鏡７Ｂ，７Ｃ，７Ｄの両眼が遮光状態（ＯＦＦ）とされ、コンテンツＣＢの映像Ｆ０Ｂ，Ｆ１Ｂ，・・・を表示画面５Ｄに表示するタイミングに同期して、眼鏡７Ｂの両眼が透光状態（ＯＮ）、その他の眼鏡７Ａ，７Ｃ，７Ｄの両眼が遮光状態（ＯＦＦ）とされ、コンテンツＣＣの映像Ｆ０Ｃ，Ｆ１Ｃ，・・・を表示画面５Ｄに表示するタイミングに同期して、眼鏡７Ｃの両眼が透光状態（ＯＮ）、その他の眼鏡７Ａ，７Ｂ，７Ｄの両眼が遮光状態（ＯＦＦ）とされ、コンテンツＣＤの映像Ｆ０Ｄ，Ｆ１Ｄ，・・・を表示画面５Ｄに表示するタイミングに同期して、眼鏡７Ｄの両眼が透光状態（ＯＮ）、その他の眼鏡７Ａ，７Ｂ，７Ｃの両眼が遮光状態（ＯＦＦ）とされる。
【００３４】
また、コンテンツＣＡの音声が眼鏡７Ａのイヤホン９Ａから出力され、コンテンツＣＢの音声が眼鏡７Ｂのイヤホン９Ｂから出力され、コンテンツＣＣの音声が眼鏡７Ｃのイヤホン９Ｃから出力され、コンテンツＣＤの音声が眼鏡７Ｄのイヤホン９Ｄから出力される。
【００３５】
このように本実施の形態に係るＳＴＢ４によれば、映像制御部１３は、第１のタイミングにおいてコンテンツＣＡの二次元映像を表示画面５Ｄに表示し、第２のタイミングにおいてコンテンツＣＢの二次元映像を表示画面５Ｄに表示する。また、眼鏡制御部１５は、上記第１のタイミングにおいて眼鏡７Ａの両眼を透光状態、眼鏡７Ｂの両眼を遮光状態とし、上記第２のタイミングにおいて眼鏡７Ｂの両眼を透光状態、眼鏡７Ａの両眼を遮光状態とする。従って、コンテンツＣＡの視聴を希望するユーザＵＡは、眼鏡７Ａを着用することにより、上記第１のタイミングで表示画面５Ｄに全面表示されるコンテンツＣＡの映像を視聴することができる。また、コンテンツＣＢの映像が表示される上記第２のタイミングでは、眼鏡７Ａの両眼が遮光状態とされる。従って、ユーザＵＡにはコンテンツＣＢの映像は見えないため、コンテンツＣＢの映像がコンテンツＣＡの映像の視聴の妨げになることを回避できる。同様に、コンテンツＣＢの映像の視聴を希望するユーザＵＢは、眼鏡７Ｂを着用することにより、上記第２のタイミングで表示画面５Ｄに全面表示されるコンテンツＣＢの映像を視聴することができる。また、コンテンツＣＡの映像が表示される上記第１のタイミングでは、眼鏡７Ｂの両眼が遮光状態とされる。従って、ユーザＵＢにはコンテンツＣＡの映像は見えないため、コンテンツＣＡの映像がコンテンツＣＢの映像の視聴の妨げになることを回避できる。このように本実施の形態に係るＳＴＢ４によれば、１台のテレビ５を用いて複数のユーザが異なる映像を大画面で同時に視聴することが可能となる。
【００３６】
また、本実施の形態に係るＳＴＢ４によれば、音声制御部１７は、コンテンツＣＡに関する音声信号Ｓ４Ａを眼鏡７Ａに送信し、コンテンツＣＢに関する音声信号Ｓ４Ｂを眼鏡７Ｂに送信する。従って、ユーザＵＡは、眼鏡７Ａに取り付けられているイヤホン９Ａを用いて、コンテンツＣＡに関する音声を聞くことができる。同様に、ユーザＵＢは、眼鏡７Ｂに取り付けられているイヤホン９Ｂを用いて、コンテンツＣＢに関する音声を聞くことができる。しかも、複数のユーザＵＡ，ＵＢの各々がイヤホン９Ａ，９Ｂを用いて音声を聞くことにより、各ユーザが視聴している映像の音声が別ユーザによる別映像の視聴の妨げになることを回避できる。
【００３７】
また、本実施の形態に係るＳＴＢ４によれば、例えば、コンテンツＣＡの映像は、対戦型ゲームにおける一のプレーヤー視点の映像であり、コンテンツＣＢの映像は、対戦型ゲームにおける他のプレーヤー視点の映像である。従って、複数のユーザＵＡ，ＵＢが１台のテレビ５を用いて対戦型ゲームを行う場合に、各プレーヤー視点の映像はいずれも表示画面５Ｄの全画面に表示されるため、各プレーヤーは、迫力ある映像を用いて対戦型ゲームを行うことが可能となる。
【００３８】
また、本実施の形態に係るＳＴＢ４によれば、例えば、コンテンツＣＡの映像は、第１の番組の映像であり、コンテンツＣＢの映像は、第１の番組とは異なる第２の番組の映像である。従って、複数のユーザＵＡ，ＵＢが１台のテレビ５を用いて複数の番組を視聴する場合に、各ユーザが視聴する映像はいずれも表示画面５Ｄの全画面に表示されるため、各ユーザは、迫力ある映像を用いて番組を視聴することが可能となる。
【００３９】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４０】
４  ＳＴＢ
５  テレビ
７Ａ，７Ｂ  眼鏡
８ＡＬ，８ＢＬ  左眼
８ＡＲ，８ＢＲ  右眼
１３  映像制御部
１５  眼鏡制御部
１７  音声制御部
【図１】
2012156950.tif 000003
【図２】
2012156950.tif 000004
【図３】
2012156950.tif 000005
【図４】
2012156950.tif 000006
【図５】
2012156950.tif 000007
【図６】
2012156950.tif 000008